(57)【要約】【課題】風圧等による変形、或いは破損のおそれを減少させるとともに、密閉性を向上させ樹木の侵入等がより一層確実に防止されるようにする。【解決手段】電線保護カバーを軟質の合成樹脂を材料として押出成形により可撓性を備えるように成形し、管体１の長手方向の中間位置に複数の中間通孔４を等間隔にて前記両突出片３に連通状に開設し、該各中間通孔に結合釦１０を挿通することで前記両突出片を密着させ、管体１の前端寄り位置には前記中間通孔との間隔を狭めて前端通孔５を前記両突出片に連通状に開設し、さらに管体の後端寄り位置には前記中間通孔との間隔を狭めるとともに前記前端通孔よりもやや大径の後端通孔６を前記両突出片に連通状に開設し、一方の管体の後端部に他方の管体の前端部を外嵌することで前記前端通孔と後端通孔とを合致させ、該前端通孔と後端通孔に連結釦１５を串通する。【選択図】  図１
2004194465.tif 000002
【特許請求の範囲】
【請求項１】
両端が開口した管体の下側部に長手方向に沿って切り込みを設けて拡開自在に分割し、その両分割端縁にそれぞれ下方へ延びる突出片を設け、両分割端縁間を拡開して電線に被着するようにした電線保護カバーを軟質の合成樹脂を材料として押出成形により可撓性を備えるように成形し、該管体の長手方向の中間位置に複数の中間通孔を等間隔にて前記両突出片に連通状に開設し、該各中間通孔に結合釦を挿通することで前記両突出片を密着させ、管体の前端寄り位置には前記中間通孔との間隔を狭めて前端通孔を前記両突出片に連通状に開設し、さらに管体の後端寄り位置には前記中間通孔との間隔を狭めるとともに前記前端通孔よりもやや大径の後端通孔を前記両突出片に連通状に開設し、一方の管体の後端部に他方の管体の前端部を外嵌することで前記前端通孔と後端通孔とを合致させ、該前端通孔と後端通孔に連結釦を串通して複数の電線保護カバーを連結するようにしたことを特徴とする電線保護カバーの接続構造。
【請求項２】
一方の突出片の各中間通孔および前端通孔に結合釦および連結釦を夫々挿通することで該結合釦および連結釦を仮止めした請求項１に記載の電線保護カバーの接続構造。
【請求項３】
連結釦は結合釦とは別色の合成樹脂により成形されたものである請求項１または２に記載の電線保護カバーの接続構造。
【発明の詳細な説明】
【０００１】
【発明の属する技術分野】
本発明は電柱に架設された通信ケーブル，電力線等の電線に被せられる合成樹脂製の電線保護カバーの接続構造に関するものである。
【０００２】
【従来の技術】
【特許文献１】
特許第３２４８８７４号公報
【０００３】
合成樹脂を材料として押出成形により可撓性を備えるように成形された管状の電線保護カバーは従来から周知であり、本発明と同一発明者の発明に係る上記特許文献１に記載された電線保護カバーは、長手方向に沿って切り込みを設けて拡開自在に分割された管体の両分割端縁にそれぞれ下方へ延びる突出片を設け、該突出片に結合釦および連結釦を挿通するための通孔を長手方向に等間隔で開設したものであった。
【０００４】
【発明が解決しようとする課題】
ところで、特許文献１に記載の電線保護カバーは、両端部の通孔をやや縦長に成形したものであったので、連結釦を該通孔に縦方向にのみ遊びを有して挿通でき、横方向（管体の長手方向）への融通はないものであった。このため、管体を重ね合わせていることとも相俟って連結部が剛直し、電線の撓みになじまないことがあり、風圧によって撓み得る余裕もないことから、可撓性材料により成形されていても柔軟性および強度が充分でないという問題があった。
また、上記従来の電線保護カバーでは、通孔が長手方向に等間隔で開設されていたので、管体を重ね合わせたことでできる両突出片間の隙間が隣り合う通孔までの間の長い区間に形成され、その隙間から樹木の枝や鳥等を侵入させるおそれがあった。
【０００５】
【課題を解決するための手段】
本発明は上記従来の電線保護カバーの欠点を解消しようとするものである。
そのために本発明に係る電線保護カバーは、両端が開口した管体の下側部に長手方向に沿って切り込みを設けて拡開自在に分割し、その両分割端縁にそれぞれ下方へ延びる突出片を設け、両分割端縁間を拡開して電線に被着するようにした電線保護カバーを軟質の合成樹脂を材料として押出成形により可撓性を備えるように成形し、該管体の長手方向の中間位置に複数の中間通孔を等間隔にて前記両突出片に連通状に開設し、該各中間通孔に結合釦を挿通することで前記両突出片を密着させ、管体の前端寄り位置には前記中間通孔との間隔を狭めて前端通孔を前記両突出片に連通状に開設し、さらに管体の後端寄り位置には前記中間通孔との間隔を狭めるとともに前記前端通孔よりもやや大径の後端通孔を前記両突出片に連通状に開設し、一方の管体の後端部に他方の管体の前端部を外嵌することで前記前端通孔と後端通孔とを合致させ、該前端通孔と後端通孔に連結釦を串通して複数の電線保護カバーを連結するようにしたことを特徴とする。
このため、保護カバーに曲げ力が加わったとき連結部における曲がりが許容され、風圧等による変形、或いは破損のおそれが減少し強度が向上するとともに、密閉性が向上し樹木の侵入等がより一層確実に防止される。
【０００６】
また、本発明は上記電線保護カバーにおいて、一方の突出片の各中間通孔および前端通孔に結合釦および連結釦を夫々挿通することで該結合釦および連結釦を仮止めしたことを特徴とする。
このため、工場からの出荷に伴う包装等のコストが軽減されるとともに、高所での電線への取付工事も容易となる。
また、本発明は上記電線保護カバーにおいて、連結釦は結合釦とは別色の合成樹脂により成形されたものであることを特徴とする。
このため、電線保護カバーの前後端を間違いなく識別できるようになり工事がスムースに進められる。
【０００７】
【発明の実施の形態】
以下に本発明の実施の形態を図面と共に説明する。図１は本発明に係る電線保護カバーの斜視図、図２は側面図である。この電線保護カバーＰは軟質のポリエチレンを材料として押出成形により可撓性を備えるように成形され、両端が開口した長さ１メートル程の管体１の下側部に長手方向に沿って切り込みを設けて拡開自在に分割し、その両分割端縁２，２にそれぞれ下方へ延びる突出片３，３が設けられる。そして該管体の長手方向の中間位置に複数の中間通孔４，４，…を等間隔（Ｌ１）にて両突出片３，３に連通状に開設する。また、管体１の前端寄り位置には前記中間通孔との間隔（Ｌ２）を前記間隔（Ｌ１）よりも狭めて前端通孔５，５を両突出片３，３に連通状に開設する。また、管体１の後端寄り位置には前記中間通孔との間隔（Ｌ３）を前記間隔（Ｌ１）よりも狭めるとともに前記前端通孔よりもやや大径の後端通孔６，６を前記両突出片に連通状に開設する。
【０００８】
図３は上記中間通孔４，４，…に挿通することで両突出片３，３を密接させて結合するための結合釦１０を示し、該結合釦１０は中間通孔４，４，…と略同径で、かつ両突出片３，３のほぼ厚さ相当分の長さを有する胴部１１の一端に中間通孔４，４，…より大径の円板状の頭部１２が設けられると共に他端に中間通孔４，４，…より若干大径の雁首状の係止部１３が設けられている。
【０００９】
図４は上記前端通孔５，５に挿通し電線保護カバーを長手方向に連結するための連結釦１５を示し、該連結釦１５は胴部１６の長さを前記結合釦１０の胴部１１の２倍とし、該胴部１６に弾力性を増すためのスリット１７を形成している。そして、該連結釦１５は前記結合釦１０との識別性をよくするために別色の合成樹脂により成形されているが、それ以外の部位（頭部１８，係止部１９）は前記結合釦１０の頭部１２，係止部１３と同様に形成される。
【００１０】
そして、上記結合釦１０の係止部１３を工場にて上記電線保護カバーＰの一方の突出片３の各中間通孔４，４，…に挿通し、連結釦１５の係止部１９を同じく一方の突出片３の前端通孔５に挿通することで、図５に示したように、これら結合釦１０および連結釦１５を保護カバーＰに仮止めしておく。なお、係止部１３，係止部１９は中間通孔４，４，…，前端通孔５より若干大径であるので、押圧することにより弾性変形によって挿通できる。これによって結合釦１０および連結釦１５を別部品として取付現場に出荷するよりも紛失や包装の手間が省けるとともに、取り付け作業も容易となる。
【００１１】
また、図６に示したように、突出片３，３を開き分割端縁２，２間を拡開することにより複数本の保護カバーＰを重ね合わせ、減容するとともに、その内側の保護カバーＰの管体１の両端開口に紙管２０を嵌合することにより、保護カバーＰが外力によって潰されないように保形する。これによって輸送効率が高められ、変形，破損が防止される。
【００１２】
図７はこの電線保護カバーの使用例を示すもので、電柱間に架設したメッセンジャーワイヤー３０にスパイラルハンガー３１によって電信ケーブル３２が吊下支持され、これに保護カバーを取り付ける際しては、先ず最初の保護カバーＰ１の突出片３，３を開いて分割端縁２，２間を拡開し、管体１内にこれらを収容し、結合釦１０を両突出片３，３の中間通孔４，４，…に挿通し両突出片３，３を密接させる。そして、次なる保護カバーＰ２の管体１の先端部を最初の保護カバーＰ１の管体１の後端部に外嵌し互いの突出片３，３を重合させ、図８にその重合部の断面図を示したように、両突出片の前端通孔５，５と後端通孔６，６とが略々直線状となるように合致させ、この前端通孔５，５と後端通孔６，６に連結釦１５を串通する。その際、後端通孔６，６はやや大径に形成されていることから合致が容易で連結釦１５を容易に串通でき、保護カバーＰ１の後端に保護カバーＰ２を連結し得る。そして保護カバーＰ２の両突出片３，３も結合釦１０を挿通することにより密接させる。以後、同様の作業を繰り返すことにより、電線に所要長にわたりこの保護カバーＰを連結状に披着することができる。
【００１３】
そして、電線の撓み、或いは風圧等により上記連結状の保護カバーに曲げ力が加わったとき、この保護カバーでは後端通孔６，６がやや大径に形成されていることからその曲がりがこの後端通孔６，６によって許容され、保護カバー自体が変形したり破損することが免れる。このため、同一材料，肉厚の製品と比べて強度も充分なものとなり得る。
【００１４】
また、前端通孔５，５と後端通孔６，６は、中間通孔４，４，…が開設された間隔Ｌ１よりも狭めて夫々前端寄り位置および後端寄り位置に開設されているので、図９にその連結部の下面からの矢視図を示したように、保護カバーＰ２の前端部の突出片３，３間の隙間ｇを従来よりも短い区間とすることができ、密閉性が向上し樹木の侵入等を一層確実に防止できる。
【００１５】
また、結合釦１０および連結釦１５を仮止めしたことにより、工場からの出荷に伴う包装等のコストが軽減されるとともに、高所での電線への取付工事に際してこれらの釦が不足したり、或いは落下させたりするおそれがなく工事を安全に容易にできるようにする。
また、結合釦１０，１０，…を例えば黒色の合成樹脂によって成形し、連結釦１５を黄色の合成樹脂によって成形したものとするなど、色分けをすることにより、この保護カバーの前後端を間違いなく識別できることから工事がよりスムースに進められるようになる。
【００１６】
【発明の効果】
このように本発明に係る電線保護カバーは、両端が開口した管体の下側部に長手方向に沿って切り込みを設けて拡開自在に分割し、その両分割端縁にそれぞれ下方へ延びる突出片を設け、両分割端縁間を拡開して電線に被着するようにした電線保護カバーを軟質の合成樹脂を材料として押出成形により可撓性を備えるように成形し、該管体の長手方向の中間位置に複数の中間通孔を等間隔にて前記両突出片に連通状に開設し、該各中間通孔に結合釦を挿通することで前記両突出片を密着させ、管体の前端寄り位置には前記中間通孔との間隔を狭めて前端通孔を前記両突出片に連通状に開設し、さらに管体の後端寄り位置には前記中間通孔との間隔を狭めるとともに前記前端通孔よりもやや大径の後端通孔を前記両突出片に連通状に開設し、一方の管体の後端部に他方の管体の前端部を外嵌することで前記前端通孔と後端通孔とを合致させ、該前端通孔と後端通孔に連結釦を串通して複数の電線保護カバーを連結するようにしたので、同一材料，肉厚の製品と比べて風圧等による変形、或いは破損のおそれが減少し強度が向上するとともに、密閉性が向上し樹木の侵入等がより一層確実に防止される効果がある。
【図面の簡単な説明】
【図１】本発明の実施形態を示す電線保護カバーの斜視図。
【図２】図１の電線保護カバーの側面図。
【図３】本発明の実施形態を示す結合釦の斜視図。
【図４】本発明の実施形態を示す連結釦の斜視図。
【図５】本発明の実施形態を示す電線保護カバーに結合釦および連結釦を仮止めした斜視図。
【図６】本発明の実施形態を示す電線保護カバーの出荷，包装時の斜視図。
【図７】本発明の実施形態を示す電線保護カバーの使用例を示す斜視図。
【図８】図７のＡ−Ａ線断面図。
【図９】図７のＢ−Ｂ線矢視図。
【符号の説明】
Ｐ      電線保護カバー
１      管体
２      分割端縁
３      突出片
４      中間通孔
５      前端通孔
６      後端通孔
１０    結合釦
１５    連結釦
【図１】
2004194465.tif 000003
【図２】
2004194465.tif 000004
【図３】
2004194465.tif 000005
【図４】
2004194465.tif 000006
【図５】
2004194465.tif 000007
【図６】
2004194465.tif 000008
【図７】
2004194465.tif 000009
【図８】
2004194465.tif 000010
【図９】
2004194465.tif 000011